(57)【要約】【課題】ジョブを予約した後に、予約ジョブで使用される用紙の各種調整を好適に行う仕組みを提供する。【解決手段】制御装置は、画像形成装置への１以上のジョブの予約を受け付け、画像形成装置による画像形成において使用される用紙について、用紙の種別ごとに複数の設定項目の設定を行う。また、本制御装置は、設定を行う用紙の種別が選択されると、受け付けたジョブの中に、選択された種別の用紙を使用するジョブが存在するか否かを判断する。さらに、本制御装置は、受け付けたジョブの中に、選択された種別の用紙を使用するジョブが存在すると判断されると、選択された用紙の種別について、複数の設定項目のうち一部の設定項目の設定を制限し、他の設定項目の設定を可能に制御する。【選択図】  図１４
2019015888.tif 000002
【特許請求の範囲】
【請求項１】
画像形成装置を制御する制御装置であって、
前記画像形成装置への１以上のジョブの予約を受け付ける受付手段と、
前記画像形成装置による画像形成において使用される用紙について、用紙の種別ごとに複数の設定項目の設定を行う設定手段と、
前記設定手段を介して設定を行う用紙の種別が選択されると、前記受付手段で受け付けたジョブの中に、前記選択された種別の用紙を使用するジョブが存在するか否かを判断する判断手段と、
前記判断手段によって前記受付手段で受け付けたジョブの中に、選択された種別の用紙を使用するジョブが存在すると判断されると、前記選択された用紙の種別について、前記複数の設定項目のうち一部の設定項目の設定を制限し、他の設定項目の設定を可能に制御する制御手段と
を備えることを特徴とする制御装置。
【請求項２】
前記画像形成装置に関する情報を該画像形成装置から取得する取得手段をさらに備え、
前記設定手段は、前記取得手段によって取得した前記画像形成装置に関する情報に基づいて、該画像形成装置が備える複数の給紙段に設定された各用紙の設定を変更するための変更画面を生成し、該変更画面を介してユーザ操作を受け付け、
前記判断手段は、前記ユーザ操作によって選択された給紙段に設定された用紙の種別を、選択された用紙の種別と判断することを特徴とする請求項１に記載の制御装置。
【請求項３】
前記制御手段は、前記変更画面において、設定を制限する設定項目をグレーアウトで表示して、変更を受け付けないように制御することを特徴とする請求項２に記載の制御装置。
【請求項４】
前記制御手段は、
前記判断手段によって前記受付手段で受け付けたジョブの中に、選択された種別の用紙を使用するジョブが存在すると判断されると、前記選択された用紙の種別について、前記複数の設定項目のうち、用紙の基本的な設定項目の設定を制限することを特徴とする請求項１乃至３の何れか１項に記載の制御装置。
【請求項５】
前記用紙の基本的な設定項目とは、同じ種別の用紙を使用する全てのジョブに関連する設定項目を示すことを特徴とする請求項４に記載の制御装置。
【請求項６】
前記用紙の基本的な設定項目は、少なくとも用紙の名称、用紙のサイズ、用紙の坪量、及び用紙の表面性の設定項目を含むことを特徴とする請求項４又は５に記載の制御装置。
【請求項７】
前記制御手段は、
前記判断手段によって前記受付手段で受け付けたジョブの中に、選択された種別の用紙を使用する複数のジョブが存在すると判断されると、前記選択された用紙の種別について、前記基本的な設定項目に加えて、各ジョブに依存する設定項目の設定を制限することを特徴とする請求項４乃至６の何れか１項に記載の制御装置。
【請求項８】
前記判断手段は、前記受付手段で受け付けたジョブの中に、選択された種別の用紙を使用するジョブが存在すると判断した場合に、さらに、当該ジョブを実行中であるか否かを判断し、
前記制御手段は、
前記判断手段によって当該ジョブが実行中であると判断されると、前記選択された用紙の種別について、全ての設定項目の設定を制限することを特徴とする請求項４乃至７の何れか１項に記載の制御装置。
【請求項９】
画像形成装置を制御する制御装置の制御方法であって、
受付手段が、前記画像形成装置への１以上のジョブの予約を受け付ける受付工程と、
設定手段が、前記画像形成装置による画像形成において使用される用紙について、用紙の種別ごとに複数の設定項目の設定を行う設定工程と、
判断手段が、前記設定手段を介して設定を行う用紙の種別が選択されると、前記受付工程で受け付けたジョブの中に、前記選択された種別の用紙を使用するジョブが存在するか否かを判断する判断工程と、
制御手段が、前記判断工程で、前記受付工程で受け付けたジョブの中に、選択された種別の用紙を使用するジョブが存在すると判断されると、前記選択された用紙の種別について、前記複数の設定項目のうち一部の設定項目の設定を制限し、他の設定項目の設定を可能に制御する制御工程と
を含むことを特徴とする制御装置の制御方法。
【請求項１０】
画像形成装置を制御する制御装置の制御方法における各工程をコンピュータに実行させるためのプログラムであって、前記制御方法は、
受付手段が、前記画像形成装置への１以上のジョブの予約を受け付ける受付工程と、
設定手段が、前記画像形成装置による画像形成において使用される用紙について、用紙の種別ごとに複数の設定項目の設定を行う設定工程と、
判断手段が、前記設定手段を介して設定を行う用紙の種別が選択されると、前記受付工程で受け付けたジョブの中に、前記選択された種別の用紙を使用するジョブが存在するか否かを判断する判断工程と、
制御手段が、前記判断工程で、前記受付工程で受け付けたジョブの中に、選択された種別の用紙を使用するジョブが存在すると判断されると、前記選択された用紙の種別について、前記複数の設定項目のうち一部の設定項目の設定を制限し、他の設定項目の設定を可能に制御する制御工程と
を含むことを特徴とするプログラム。
【請求項１１】
画像形成装置であって、
１以上のジョブの予約を受け付ける受付手段と、
画像形成において使用する用紙について、用紙の種別ごとに複数の設定項目の設定を行う設定手段と、
前記設定手段を介して設定を行う用紙の種別が選択されると、前記受付手段で受け付けたジョブの中に、前記選択された種別の用紙を使用するジョブが存在するか否かを判断する判断手段と、
前記判断手段によって前記受付手段で受け付けたジョブの中に、選択された種別の用紙を使用するジョブが存在すると判断されると、前記選択された用紙の種別について、前記複数の設定項目のうち一部の設定項目の設定を制限し、他の設定項目の設定を可能に制御する制御手段と
を備えることを特徴とする画像形成装置。
【発明の詳細な説明】
【技術分野】
【０００１】
本発明は、制御装置、その制御方法、プログラム、及び画像形成装置に関する。
【背景技術】
【０００２】
複合機等の画像形成装置では、印刷に使用される用紙に種々の設定を行うことができる。例えば、用紙の名称、サイズ、坪量、表面性などの用紙毎に持っている設定値や、用紙を印刷する上で複合機の特性が影響する設定値である。複合機の特性が影響する設定値とは、例えば、用紙の表面/裏面のレジ位置調整量や、用紙のカール補正量である。複合機を使用するオペレータは、これらの設定値を印刷時に最適なものに設定して、印刷物を作成する。
【０００３】
一方で、ジョブの予約機能を備えた複合機では、予約したジョブで使用される用紙のサイズや種別が使用前に変更されると、予約ジョブが実行できないか、或いは、印刷物に問題が生じる可能性がある。そこで、特許文献１では、予約ジョブで使用される給紙段の用紙変更をそのジョブの印刷が終了まで禁止する技術を提案している。
【先行技術文献】
【特許文献】
【０００４】
【特許文献１】特開２００８−２２１４６９号公報
【発明の概要】
【発明が解決しようとする課題】
【０００５】
しかしながら、上記従来技術には以下に記載する課題がある。例えば、商業印刷向けの複合機においては、一日分の印刷ジョブを予約しておき、一日で使用される用紙をオペレータが把握した上で、用紙の設定値を最適なものに調整した後、印刷を実行することが多い。このような場合に、予約ジョブで使用される用紙の設定変更等ができないと、不便であり使用勝手の悪いものとなっていた。
【０００６】
本発明は、上述の問題に鑑みて成されたものであり、ジョブを予約した後に、予約ジョブで使用される用紙の各種調整を好適に行う仕組みを提供することを目的とする。
【課題を解決するための手段】
【０００７】
本発明は、画像形成装置を制御する制御装置であって、前記画像形成装置への１以上のジョブの予約を受け付ける受付手段と、前記画像形成装置による画像形成において使用される用紙について、用紙の種別ごとに複数の設定項目の設定を行う設定手段と、前記設定手段を介して設定を行う用紙の種別が選択されると、前記受付手段で受け付けたジョブの中に、前記選択された種別の用紙を使用するジョブが存在するか否かを判断する判断手段と、前記判断手段によって前記受付手段で受け付けたジョブの中に、選択された種別の用紙を使用するジョブが存在すると判断されると、前記選択された用紙の種別について、前記複数の設定項目のうち一部の設定項目の設定を制限し、他の設定項目の設定を可能に制御する制御手段とを備えることを特徴とする。
【発明の効果】
【０００８】
本発明によれば、ジョブを予約した後に、予約ジョブで使用される用紙の各種調整を好適に行うことができる。
【図面の簡単な説明】
【０００９】
【図１】一実施形態に係る画像形成システムの構成の一例を示すブロック図。
【図２】一実施形態に係る画像形成装置１０３のハードウェア構成を示すブロック図。
【図３】一実施形態に係る制御装置１０２のハードウェア構成を示すブロック図。
【図４】一実施形態に係る用紙管理アプリケーションのトップ画面の一例を示す図。
【図５】一実施形態に係る用紙管理アプリケーションの起動時のフローチャート。
【図６】一実施形態に係る画像形成装置１０３の起動時のフローチャート。
【図７】一実施形態に係る用紙管理アプリケーションの給紙段の設定画面の一例を示す図。
【図８】一実施形態に係る二次転写電圧の調整画面の一例を示す図。
【図９】一実施形態に係るテストプリント時の給紙段画面の一例を示す図。
【図１０】一実施形態に係るフローチャート。
【図１１】一実施形態に係る用紙リスト画面の一例を示す図。
【図１２】一実施形態に係るジョブマネージャの一例を示す図。
【図１３】一実施形態に係る用紙編集画面の一例を示す図。
【図１４】一実施形態に係る用紙編集画面の一例を示す図。
【図１５】一実施形態に係るフローチャート。
【図１６】一実施形態に係るジョブマネージャの一例を示す図。
【図１７】一実施形態に係る用紙編集画面の一例を示す図。
【図１８】一実施形態に係るフローチャート。
【図１９】一実施形態に係るジョブマネージャの一例を示す図。
【図２０】一実施形態に係る用紙編集画面の一例を示す図。
【発明を実施するための形態】
【００１０】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確立されるのであって、以下の個別の実施形態によって限定されるわけではない。
【００１１】
＜システムの構成＞
以下では、本発明の各実施形態において共通の構成、制御等について説明する。まず、図１を参照して、画像形成システム１００の全体構成について説明する。図１の画像形成システム１００は、画像形成装置１０３と、制御装置１０２とを含んで構成される。画像形成システム１００は、クライアントコンピュータ１０１と通信可能に接続される。クライアントコンピュータ１０１と制御装置１０２とは、イーサネット（登録商標）ケーブル１０９を使用してＬｏｃａｌ Ａｒｅａ Ｎｅｔｗｏｒｋ（ＬＡＮ）１１０を介して通信可能に接続される。また、制御装置１０２と画像形成装置１０３とは、画像ビデオケーブル１０７及び制御ケーブル１０８を介して接続される。本実施形態では、画像形成装置１０３は、ＬＡＮ１１０に直接接続されていない。画像形成装置１０３とクライアントコンピュータ１０１とは、制御装置１０２を介して通信する。つまり、制御装置１０２は、画像形成装置１０３へのジョブを受け付けて保持する役割を担う。なお、画像形成装置１０３は、ＬＡＮ１１０に接続されてもよい。つまり、画像形成装置１０３は、直接、クライアントコンピュータ１０１と通信可能に接続されていてもよい。
【００１２】
クライアントコンピュータ１０１は、アプリケーションを起動させて画像形成システム１００に印刷指示などを行う。制御装置１０２は、画像形成装置１０３と連携して画像処理を行う。画像形成装置１０３は種々の機能を有する複合機であり、クライアントコンピュータ１０１や制御装置１０２からの画像処理を行うだけでなく、スキャナ部１０４より読み込んだデータをコピーしたり、共有フォルダに送信したりすることが可能である。スキャナ部１０４で画像を走査する際には、操作部１０５にて各種キーを介して、ユーザから各種指示を受け付ける。また、操作部１０５はパネルを介して、スキャン状態などの各種情報を表示する。
【００１３】
排紙部１０６は画像が形成された用紙を受け取って、当該受け取った用紙に対して排紙する。１１１は制御装置１０２の表示部であり、制御装置１０２における情報を表示する。１１２は制御装置１０２のハードウェアの操作ボタン部であり、このボタンを操作し、表示部１１１に表示されている情報の操作を行う。表示部１１１に表示される情報は、制御装置１０２を操作する上で、最低限必要となる情報（電源操作や、ＩＰアドレスの確認など）を表示する目的で使用される。１１３は制御装置１０２の外部表示装置であり、液晶モニタ等の装置である。１１４はキーボードであり、１１５はマウス等のポインティングデバイスである。
【００１４】
本実施形態では、制御装置１０２と画像形成装置１０３の別システムとして画像形成システム１００を説明するが、制御装置１０２の処理を画像形成装置１０３の内部に包含し、制御装置１０２を物理的に配置しなくてもよい。また、表示装置１１３がタッチパッドのような位置入力装置機能を持ち、１１５のポインティングデバイスの機能を兼ねている構成でもよい。
【００１５】
＜画像形成装置のハードウェア構成＞
次に、図２を参照して、画像形成装置１０３のハードウェア構成の一例について説明する。図２に示すように、画像形成装置１０３は、ハードウェア構成として、システム制御部２００、プリントエンジン２１０、及びスキャナ２１３を備える。システム制御部２００は、ＣＰＵ２０１、ＲＡＭ２０２、ＲＯＭ２０３、操作パネル２０５、ＬＡＮコントローラ２０６、印刷インタフェース２０７、ＤＫＣ２０８、不揮発性メモリ２０９、外部記憶装置２１１、読取インタフェース２１２、及びビデオインタフェース２１４を備える。各コンポーネントは、システムバス２０４を介して相互にデータを送受することができる。
【００１６】
ＣＰＵ２０１は、ＲＯＭ２０３又は外部記憶装置２１１に記憶された制御プログラムに基づいてシステムバス２０４に接続される各種のデバイスとのアクセスを統括的に制御する。また、ＣＰＵ２０１は、印刷インタフェース２０７を介して接続される印刷部（プリンタエンジン）２１０に出力情報としての画像信号を出力したり、読取インタフェース２１２を介して接続される読取部（スキャナ）２１３から入力される画像信号を制御する。ＣＰＵ２０１は、ＬＡＮコントローラ２０６を介して制御装置１０２との通信処理を実行することができる。
【００１７】
ＲＡＭ２０２は、主としてＣＰＵ２０１の主メモリ、ワークエリア等として機能する。ハードディスクドライブ（ＨＤＤ）、ＩＣカード等の外部記憶装置２１１は、ディスクコントローラ（ＤＫＣ）２０８によりアクセスが制御される。外部記憶装置２１１は、アプリケーションプログラム、フォントデータ、及びフォームデータ等を記憶したり、プリントジョブを一時的にスプールし、スプールされたジョブを外部から制御するためのジョブ格納領域として使用される。さらに、外部記憶装置２１１は、スキャナ２１３から読み取った画像データやプリントジョブの画像データを留め置きデータとして保持し、ネットワークから参照したり、印刷を行う留め置きデータ格納領域としても使用される。本実施形態においては、外部記憶装置としてはＨＤＤを使用するものとし、ジョブログ、画像ログ等各種ログを保持する。
【００１８】
操作パネル２０５は、ユーザインタフェース、ソフトウェアキーやハードウェアキーを提供し、ユーザから各種情報を受け付けることが可能である。不揮発性メモリ２０９は、操作パネル２０５やネットワークを介して端末から設定される各種設定情報を記憶している。ビデオインタフェース２１４は、制御装置１０２から画像データを受信する。
【００１９】
＜制御装置のハードウェア構成＞
次に、図３を参照して、制御装置１０２のハードウェア構成の一例について説明する。図３に示すように、制御装置１０２は、ＣＰＵ３０１、ＲＡＭ３０２、ＲＯＭ３０３、操作部３０５、ＬＡＮコントローラ３０６、ＬＡＮコントローラ３０７、ＤＫＣ３０８、外部記憶装置３０９、ビデオインタフェース３１０、ＫＢＣ３１１、及びＣＲＴＣ３１２を備える。これらのコンポーネントは、システムバス３０４を介して相互にデータを送受することができる。
【００２０】
ＣＰＵ３０１は、ＲＯＭ３０３又は外部記憶装置３０９に記憶された制御プログラムに基づいてシステムバス３０４に接続される各種のデバイスとのアクセスを統括的に制御する。また、ＣＰＵ３０１は、ＬＡＮコントローラ３０６を介して画像形成装置１０３との通信処理を実行する。さらに、ＣＰＵ３０１はＬＡＮコントローラ３０７を介してネットワーク上のクライアントコンピュータ１０１や画像形成装置１０３との通信処理を実行する。ここで、ＣＰＵ３０１は、受付手段として機能し、クライアントコンピュータ１０１から画像形成装置１０３へのジョブを受け付けて保持する。
【００２１】
ＲＡＭ３０２は、主としてＣＰＵ３０１の主メモリ、ワークエリア等として機能する。ハードディスクドライブ（ＨＤＤ）、ＩＣカード等の外部記憶装置３０９は、ディスクコントローラ（ＤＫＣ）３０８によってアクセスが制御される。外部記憶装置３０９は、アプリケーションプログラム、フォントデータ、及びフォームデータ等を記憶したり、プリントジョブを一時的にスプールする。さらに、外部記憶装置３０９は、ＣＰＵ３０１によってＲＩＰ（Ｒａｓｔｅｒ Ｉｍａｇｅ Ｐｒｏｃｅｓｓｏｒ）処理された、スプールされたジョブを再度保存するためのジョブ格納領域として使用される。
【００２２】
操作部３０５は、ユーザが操作ボタン部１１２から各種情報を入力することが可能であり、情報を表示部１１１へ表示することが可能である。これの入力情報は、表示部１１１に表示される。ビデオインタフェース３１０は、画像形成装置１０３へＲＩＰ処理した画像データを送信する。キーボードコントローラ（ＫＢＣ）３１１は、キーボード１１４や、マウス（登録商標）等のポインティングデバイス１１５を介して入力された情報を処理する。表示制御部（ＣＲＴＣ）３１２は、内部にビデオメモリを有し、ＣＰＵ３０１からの指示に従ってそのビデオメモリに描画すると共に、ビデオメモリに描画されたイメージデータをビデオ信号として表示装置１１３に出力する。
【００２３】
＜画面例＞
次に、図４を参照して、用紙管理アプリケーションのトップ画面の構成例について説明する。用紙管理アプリケーションは、制御装置１０２上で動作するアプリケーションである。図４（ａ）は、画像形成装置１０３の給紙段の情報を表示した状態の画面４０１を示し、図４（ｂ）は画像形成装置１０３の各種調整設定を実施可能なボタンを表示した状態の画面４３０を示す。表示制御部３１２は、ＣＰＵ３０１からの指示に従って用紙管理アプリケーションのトップ画面をビデオメモリに描画し、ビデオメモリに描画したイメージデータをビデオ信号として表示装置１１３に出力し、表示させる。画面４０１、４３０は、用紙の設定項目の設定を変更するためのユーザ操作を受け付ける変更画面のトップ画面となる。
【００２４】
用紙管理アプリケーションの画面４０１について詳細に説明する。なお、画面４３０では、画面４０１と同様の表示について同一の参照符号を付し、説明を省略する。４０２は、タブコントロールを実施可能な表示領域である。４０３のデバイスタブを押下することで、表示領域４０２に画像形成装置１０３の給紙段情報を表示した状態の画面４０１を表示することができる。４０４の調整タブを押下することで、４０２の表示領域に各種調整設定を実施可能なボタンを表示した状態の画面４３０を表示することができる。４０５は、現在の制御装置１０２に接続される、画像形成装置１０３のハードウェアオプションの接続状況を表す表示である。用紙管理アプリケーションは起動した時に、画像形成装置１０３のハードウェアオプション情報を取得し、このオプション情報に従って正しい画像を表示する。
【００２５】
本実施形態の画面４０１では、複数の給紙段を有する給紙装置と、排紙装置とが接続される状態を表している。４０６〜４１３は各給紙段に対応する給紙段ボタンである。表示制御部３１２は、用紙管理アプリケーションが起動した際に取得した画像形成装置１０３の給紙段の情報を元に、給紙段ボタンを作成して配置する。
【００２６】
４１４は用紙情報を表示する表示画面である。用紙ごとに、名称、サイズ情報、属性情報（例えば、坪量）が設定される。表示されている用紙以外を表示したい場合は、４１５のスライダーバーを操作することで表示可能となる。また、表示されている用紙の属性情報以外を表示したい場合は、４１６のスライダーバーを操作することで表示可能となる。
【００２７】
ボタン４２１は、図１１に示す用紙リスト画面を表示するためのボタンである。本実施形態では、ボタン４２１が押下されると、用紙アプリケーションは図１１の用紙リスト画面１１０１を最前面に表示する。４１７は各種調整設定を実施可能なボタンである。画像形成装置１０３で実施可能な調整項目が表示されている。４１８はスライダーバーであり、このスライダーバーを操作することで、現在表示されていない調整の設定項目を確認することが可能となる。
【００２８】
＜制御装置の処理手順＞
次に、図５を参照して、用紙管理アプリケーションが起動した際に、制御装置１０２において画面４０１を作成する処理手順について説明する。以下で説明する処理は、例えばＣＰＵ３０１が、ＨＤＤ３０９に格納されている制御プログラムをＲＡＭ３０２に読み出して実行することにより実現される。
【００２９】
制御装置１０２上で用紙管理アプリケーションが起動されると、Ｓ５０１で、用紙管理アプリケーションは、用紙管理の対象となる画像形成装置１０３のモデルを判別する。用紙管理アプリケーションは、画像形成装置１０３のモデルを判別し、４０５のハードウェアオプションの接続状況を示す表示を作成する際や、モデルごとの仕様差を吸収する際にこの判別結果を使用する。具体的には、用紙管理アプリケーションは、画像形成装置１０３と通信を行い、後述するＳ６０７で返信される情報からモデル情報を取得する。さらに、用紙管理アプリケーションが予め保持しているモデル判別情報を元に、画像形成装置１０３のモデルを判別する。ここで、モデル情報とは、画像形成装置１０３の製品情報であり、画像形成装置１０３が有する性能や提供可能なサービス等を含む情報である。Ｓ５０１でモデルを判別すると、Ｓ５０２へ遷移する。
【００３０】
Ｓ５０２で、用紙管理アプリケーションは、画像形成装置１０３と通信を行い、後述のＳ６０９にて返信される情報からハードウェアオプションの情報を取得する。そして、用紙管理アプリケーションは、画像形成装置１０３の接続されるハードウェアオプションを判別する。さらに、用紙管理アプリケーションは、４０５のハードウェアオプションの表示を作成する際、給紙段の情報を特定する際、モデルごとの仕様差を吸収する際にこの判別結果を使用する。画像形成装置１０３と通信してハードウェアオプション情報を取得すると、Ｓ５０３へ遷移する。
【００３１】
Ｓ５０３で、用紙管理アプリケーションは、画像形成装置１０３と通信を行い、後述のＳ６１１で返信される画像形成装置１０３の給紙段情報を取得する。この給紙段情報は、オプションデッキ、手差しトレイ、長尺用紙トレイなどの給紙段構成と、各給紙段に設定されている用紙の情報とを含むものとする。さらに、用紙管理アプリケーションは用紙管理の対象となる画像形成装置１０３に接続される給紙段の判別を行い、接続される給紙段の数を特定する。Ｓ５０３にて給紙段の判別を行うと、Ｓ５０４に遷移する。
【００３２】
Ｓ５０４で、用紙管理アプリケーションは、画像形成装置１０３と通信を行い、後述のＳ６１１で返信される情報から、それぞれの給紙段に設定されている用紙情報を取得する。Ｓ５０４で給紙段の用紙情報を取得すると、Ｓ５０５に遷移する。Ｓ５０５で、用紙管理アプリケーションは、画面４０１に表示する４０６〜４１３上に給紙段ボタンの情報を作成する。Ｓ５０５で給紙段ボタンの情報を作成すると、Ｓ５０６に遷移する。
【００３３】
Ｓ５０６で、用紙管理アプリケーションは、画像形成装置１０３と通信を行い、後述のＳ６１３で返信される用紙リスト情報を取得する。Ｓ５０６で用紙リストを取得すると、Ｓ５０７に遷移する。Ｓ５０７で、用紙管理アプリケーションは、画面４０１に表示する４１４の用紙リストの情報を作成する。Ｓ５０７で用紙リスト情報を作成すると、Ｓ５０８に遷移する。
【００３４】
Ｓ５０８で、用紙管理アプリケーションは、各調整ボタン４１７に設定するために、画像形成装置１０３と通信を行い、Ｓ６１５で返信される情報から各調整の調整値を取得する。調整値を取得すると、Ｓ５０９に遷移する。Ｓ５０９で、用紙管理アプリケーションは、取得した調整値から、各調整ボタン４１７に設定する文字列を作成する。調整値が一つしかない場合はその値を表示し、２つ以上ある場合は調整あり／調整なしの表示情報を作成する。Ｓ５０９で調整ボタンを作成すると、Ｓ５１０に遷移する。Ｓ５１０で、用紙管理アプリケーションは、Ｓ５０１及びＳ５０２で取得した装置のモデル情報、オプション情報、Ｓ５０５で作成した給紙段ボタン情報、Ｓ５０７で作成した用紙リスト情報、Ｓ５０９で作成した調整ボタン情報から、トップ画面を作成する。
【００３５】
なお、本フローは用紙管理アプリケーション起動時の動作として説明した。しかし、画像形成装置１０３の給紙段情報、用紙リスト情報、及び調整値は用紙管理アプリケーション使用中に随時変更される可能性がある。従って、用紙管理アプリケーションと画像形成装置１０３との通信、それに伴う各情報の更新も、その動作が用紙管理アプリケーション及び画像形成装置１０３のいずれで行われたかに関わらず、必要に応じて行われる。また、用紙管理アプリケーションと印刷装置との間において、当該情報は同期されるものとする。
【００３６】
＜画像形成装置の処理手順＞
次に、図６を参照して、画像形成装置１０３が起動する際に、制御装置１０２及び用紙管理アプリケーションと通信して同期する情報を作成する処理手順について説明する。以下で説明する処理は、例えば、ＣＰＵ２０１がＨＤＤ２１１に格納されている制御プログラムをＲＡＭ２０２に読み出して実行することにより実現される。
【００３７】
画像形成装置１０３は起動するとＳ６０１に遷移する。Ｓ６０１で、ＣＰＵ２０１は、予め格納された自装置のモデル情報をＨＤＤ２１１から取得し、返信可能なデータとして作成する。Ｓ６０１でモデル情報を作成すると、Ｓ６０２に遷移する。Ｓ６０２で、ＣＰＵ２０１は、自装置に接続されるハードウェアオプション情報をＨＤＤ２１１から取得し、返信可能なデータとして作成する。Ｓ６０２でハードウェアオプション情報を作成すると、Ｓ６０３に遷移する。Ｓ６０３で、ＣＰＵ２０１は、自装置の給紙段情報を、取得したハードウェアオプション情報やＨＤＤ２１１から取得し、返信可能なデータとして作成する。Ｓ６０３で給紙段情報のデータを作成すると、Ｓ６０４に遷移する。Ｓ６０４で、ＣＰＵ２０１は、自装置の用紙リスト情報をＨＤＤ２１１から取得し、返信可能なデータとして作成する。Ｓ６０４で用紙リスト情報を作成すると、Ｓ６０５に遷移する。Ｓ６０５で、ＣＰＵ２０１は、各用紙の調整値情報をＨＤＤ２１１から取得し、返信可能なデータとして作成する。この調整値情報の取得は画像形成装置１０３で調整可能な項目すべてに対して実施することが望ましい。Ｓ６０５で調整値情報を作成すると、Ｓ６０６に遷移する。
【００３８】
Ｓ６０６で、ＣＰＵ２０１は、制御装置１０２からモデル情報の問い合わせを受信したか否かを判断する。用紙管理アプリケーションの起動フローにおけるＳ５０１のモデル情報の問い合わせを受信していた場合はＳ６０７に遷移し、ＣＰＵ２０１は、Ｓ６０１で作成したモデル情報を返信しＳ６０８に遷移する。Ｓ６０６でモデル情報の問い合わせを受信していないと判断した場合はＳ６０８に遷移する。
【００３９】
Ｓ６０８で、ＣＰＵ２０１は、制御装置１０２からハードウェアオプション情報の問い合わせを受信したか否かを判断する。用紙管理アプリケーションの起動フローにおけるＳ５０２のハードウェアオプション情報の問い合わせを受信していた場合は、Ｓ６０９に遷移する。Ｓ６０９で、ＣＰＵ２０１は、Ｓ６０２で作成したハードウェアオプション情報を返信しＳ６１０に遷移する。一方、Ｓ６０８でハードウェアオプション情報の問い合わせを受信していないと判断した場合はＳ６１０に遷移する。
【００４０】
Ｓ６１０で、ＣＰＵ２０１は、制御装置１０２より給紙段情報の問い合わせを受信したか否かを判断する。用紙管理アプリケーションの起動フローにおけるＳ５０３及びＳ５０４の給紙段情報の問い合わせを受信していた場合は、Ｓ６１１に遷移する。Ｓ６１１で、ＣＰＵ２０１は、制御装置１０２にＳ６０３で作成した給紙段情報を返信しＳ６１２に遷移する。Ｓ６１０で給紙段情報の問い合わせを受信していないと判断した場合もＳ６１２に遷移する。
【００４１】
Ｓ６１２で、ＣＰＵ２０１は、制御装置１０２から用紙リスト情報の問い合わせを受信したか否かを判断する。用紙管理アプリケーションの起動フローＳ５０６及びＳ５０７の用紙リスト情報の問い合わせを受信していた場合は、Ｓ６１３に遷移する。Ｓ６１３で、ＣＰＵ２０１は、Ｓ６０４で作成した用紙リスト情報を用紙管理アプリケーションに返信しＳ６１４に遷移する。Ｓ６１２で用紙リスト情報の問い合わせを受信していないと判断した場合はＳ６１４に遷移する。
【００４２】
Ｓ６１４で、ＣＰＵ２０１は、制御装置１０２から調整値情報の問い合わせを受信したか否かを判断する。用紙管理アプリケーションの起動フローにおけるＳ５０８の調整値情報の問い合わせを受信していた場合は、Ｓ６１５に遷移する。Ｓ６１５で、ＣＰＵ２０１は、Ｓ６０５で作成した給紙段情報を制御装置１０２に返信しＳ６０６に処理を戻す。Ｓ６１４で給紙段情報の問い合わせを受信していないと判断した場合はＳ６０６に処理を戻す。
【００４３】
なお、本実施形態における給紙装置は給紙部の一例であり、インサータ（印刷後の用紙搬送経路に位置する用紙挿入装置）や手差しトレイなど、その他の機構の給紙部であってもよく、その形態を限定しない。ここで、手差しトレイとは、給紙装置にセットできないサイズの用紙等をセットする画像形成装置に装着されているトレイである。
【００４４】
＜用紙設定画面＞
説明を図４に戻す。画面４０１における給紙段１のボタン４０６を、ポインティングデバイス１１５等を用いて押下すると、変更画面の一例である図７の給紙段１の用紙設定画面７００が表示される。ボタン４０７〜４１３はボタン４０６と同様にそれぞれの用紙設定画面に遷移するため詳細な説明は省略する。本実施形態では詳細に説明しないが、給紙段にはインサータや手差しトレイなどの給紙装置をすべて含むことは言うまでもない。また、以降の説明では、ボタン押下時等のアプリケーションの操作時にポインティングデバイス１１５等を使用するといった説明は省略するが、このような入力デバイスを使用して操作することは言うまでもない。
【００４５】
図７は給紙段１の用紙設定画面７００である。給紙段１の用紙設定画面７００は、ＣＰＵ３０１からの指示に従ってそのビデオメモリに描画すると共に、ビデオメモリに描画されたイメージデータをビデオ信号として表示装置１１３に出力され、表示される。７０１は給紙段１の画面のトップ画面である。７０１には、７０２の用紙情報表示領域と、７０３の用紙リスト表示領域と、７０４の割当ボタン、７０５の用紙リスト更新ボタン、７０６の閉じるボタンが表示される。用紙情報表示領域７０２は現在選択されている用紙の設定情報を表示する。４０８〜４１３の給紙段ボタンを押下して、７０１の画面が開いた時には、対応する給紙段に現在割り当てられている用紙の情報を表示する。用紙リスト表示領域７０３は、制御装置１０２と画像形成装置１０３が管理している用紙情報をリスト化して表示する。用紙リスト表示領域７０３の用紙リストから用紙を選択した場合は、用紙情報表示領域７０２に選択された用紙の情報を表示する。
【００４６】
まず、用紙情報表示領域７０２の各入力項目について説明する。７０７は用紙の名称を入力することが可能なテキストフィールドである。名称を変更する場合は、テキストエリアにキーボード１１４等を使用して、文字を入力することが可能である。以降の説明では、入力時にキーボード１１４等を使用するといった説明は省略するが、このような入力デバイスを使用して文字を入力することは言うまでもない。変更した情報を用紙情報に反映させるためには、７０５の用紙リスト更新ボタンを押下する。用紙リスト更新ボタン７０５を押下することで、制御装置１０２及び画像形成装置１０３の用紙情報を変更することができる。７０８は坪量を入力することが可能なテキストフィールドである。動作は、７０７の名称テキストエリアと同等なので、説明を省略する。７０９は用紙のサイズ情報を表示するコンボボックスである。リスト表示されたサイズ情報から所望のサイズを選択して、設定することが可能となる。変更した情報を用紙情報に反映させるためには、７０５の用紙リスト更新ボタンを押下する。７０５の用紙リスト更新ボタンを押下することで、制御装置１０２、画像形成装置１０３の用紙情報を変更することができる。
【００４７】
７１０は表面性情報を表示するコンボボックスである。動作は、７０９のサイズコンボボックスと同等なので、説明を省略する。７１１は特長情報を表示するコンボボックスである。動作は、７０９のサイズコンボボックスと同等なので、説明を省略する。７１２は色情報を表示するコンボボックスである。動作は、７０９のサイズコンボボックスと同等なので、説明を省略する。７１３は両面２面目情報を表示するコンボボックスである。動作は、７０９のサイズコンボボックスと同等なので、説明を省略する。７１４はスキ目情報を表示するコンボボックスである。動作は、７０９のサイズコンボボックスと同等なので、説明を省略する。
【００４８】
７１５は調整関連の設定をまとめて表示する領域である。調整関連の設定項目は多数存在する為、この画面中にすべて収めることができない。現在表示されていない調整の設定項目を確認する場合は、７１６のスライダーバーを操作することで設定値を表示することが可能となる。７１７は画像位置調整の設定項目ボタンであり、このボタンに現在の用紙が既に調整済みかを表示する。既に調整済みの場合は、調整ありと表示し、調整していない場合は、調整なしと表示する。７１７の画像位置調整の設定項目ボタンを押下することで、後述の図８のような調整画面８０１に遷移する。この調整画面８０１で各種調整値を入力することが可能である。変更した情報を用紙情報に反映させるためには、用紙リスト更新ボタン７０５を押下する。用紙リスト更新ボタン７０５を押下することで、制御装置１０２及び画像形成装置１０３の用紙情報を変更することができる。
【００４９】
７１８はカール補正の設定項目ボタンである。動作は、７１７の画像位置調整の設定項目ボタンと同等なので、説明を省略する。７１９はサドル折位置の調整の設定項目ボタンである。このボタンに現在の調整値をｍｍ単位で表示する。７１９はサドル折位置の調整の設定項目ボタンを押下することで、後述の図８のような調整画面８０１に遷移する。この調整画面８０１で各種調整値を入力することが可能である。変更した情報を用紙情報に反映させるためには、用紙リスト更新ボタン７０５を押下する。用紙リスト更新ボタン７０５を押下することで、制御装置１０２及び画像形成装置１０３の用紙情報を変更することができる。７２０はクリープ補正量の調整の設定項目ボタンである。動作は、７１９のサドル折位置の調整の設定項目ボタンと同等なので、説明を省略する。７２１は中とじ折位置の調整の設定項目ボタンである。動作は、７１９のサドル折位置の調整の設定項目ボタンと同等なので、説明を省略する。
【００５０】
７２２は中とじ位置調整の設定項目ボタンである。動作は、７１９のサドル折位置の調整の設定項目ボタンと同等なので、説明を省略する。７２３は二次転写電圧の調整の設定項目ボタンである。動作は、７１７の画像位置調整の設定項目ボタンと同等なので、説明を省略する。７２４は先端部二次転写電圧の調整の設定項目ボタンである。動作は、７１７の画像位置調整の設定項目ボタンと同等なので、説明を省略する。７２５は二次転写除電バイアスの調整の設定項目ボタンである。動作は、７１７の画像位置調整の設定項目ボタンと同等なので、説明を省略する。７２６は一次転写電圧の調整の設定項目ボタンである。動作は、７１７の画像位置調整の設定項目ボタンと同等なので、説明を省略する。
【００５１】
本実施形態では、用紙が入っている任意の給紙段で用紙変更禁止状態になっているため用紙設定変更できない旨を表示する形態で説明するが、用紙設定変更時の必須項目の入力不足や入力値の整合チェックの結果などを表示するようにしてもよい。
【００５２】
次に、用紙リスト表示領域７０３について説明する。７２７は用紙リストを表示する表である。列に用紙の属性情報を行に用紙が設定される。表示されている用紙の属性情報以外を表示したい場合は、７２８のスライダーバーを操作することで表示可能となる。また、表示されている用紙以外を表示したい場合は、７２９のスライダーバーを操作することで表示可能となる。
【００５３】
７３０は７０２の用紙リストに表示されている用紙であり、選択されていることが分かるように反転表示されている。７３１〜７３３は７０２の用紙リストに表示されていない用紙である。７２７の用紙リストの表より、選択されていない用紙である７３１〜７３３のいずれかを選択すると、７０２の用紙表示領域に選択中の用紙の情報が表示される。この状態で、７０４の割当ボタンを押下することで、給紙段１に新たに選択した用紙を割り当てることが可能となる。何も変更せずに終了する場合は、７０５の閉じるボタンを押下する。
【００５４】
説明を図４に戻す。調整値の設定の一例を二次転写電圧の調整ボタン４１９を使用して説明する。二次転写電圧の調整ボタン４１９は、図７のボタン７２３を押下した場合も同じ処理となる。用紙リスト４１４から用紙を選択し、二次転写電圧の調整ボタン４１９を押下すると、図８の二次転写電圧の調整画面８０１に遷移する。図８の二次転写電圧の調整画面８０１は、ＣＰＵ３０１からの指示に従ってそのビデオメモリに描画すると共に、ビデオメモリに描画されたイメージデータをビデオ信号として表示装置１１３に出力され、表示される。調整画面８０１は二次転写電圧の調整値を変更することが可能な画面である。８０２は用紙のオモテ面にトナーを転写する際の電圧値を調整するテキストボックスであり、８０３は用紙のウラ面にトナーを転写する際の電圧値を調整するテキストボックスである。このテキストボックスを選択し、直接数値を入力することが可能であるが、８０４、８０６の−ボタンと８０５、８０７の＋ボタンを押下することで、数値を変更することも可能である。
【００５５】
設定した数値を反映させるためには、８０８のＯＫボタンを押下する。ＯＫボタン８０８を押下すると、この設定値を用紙管理アプリケーションが保存すると同時に、画像形成装置１０３の設定値を変更するために設定値を送信する。画像形成装置１０３はこの設定値を受信すると、二次転写電圧の設定値を受信した値に変更する。８０８のＯＫボタンを押下すると、調整画面８０１の表示を終了する。８０９のキャンセルボタンを押下すると、８０２、８０３にて設定した値を二次転写電圧の調整値に反映することなく、調整画面８０１の表示を終了する。８１０のテストプリントボタンは、調整した設定値により、どのような印刷結果になるかを確認する為にテストプリントを実行するボタンである。テストプリントボタン８１０を押下すると、図９のテストプリントの給紙段選択画面９０１に遷移する。
【００５６】
テストプリントの給紙段選択画面９０１は、ＣＰＵ３０１からの指示に従ってそのビデオメモリに描画すると共に、ビデオメモリに描画されたイメージデータをビデオ信号として表示装置１１３に出力され、表示される。テストプリントの給紙段選択画面９０１は、画像形成装置１０３のイメージ画面と給紙段のボタンが配置された画面である。９０２は現在の制御装置１０２に接続される、画像形成装置１０３のハードウェアオプションの接続状況を表す図である。９０３〜９１０は給紙段ボタンである。二次転写電圧の調整のテストを実施したい給紙段を選択し、この給紙段から印刷することが可能となる。なお、給紙段選択画面９０１上での給紙段の選択は、７２３ボタンを押下した場合には給紙段が決定しているため不要である。この場合、図９の表示を省略するか、表示をした上で、選択されている給紙段をわかりやすく表示するようにしてもよい。
【００５７】
９０３の給紙段１のボタンを押下した場合、用紙管理アプリケーションは図８の８０２、８０３の二次転写電圧の調整値とテストプリントの実施情報を画像形成装置１０３に送信する。画像形成装置１０３はこれらのデータを元にテストプリントを実施する。
【００５８】
＜第１の実施形態＞
以下では、本発明の第１の実施形態について説明する。本実施形態における制御装置１０２と画像形成装置１０３の処理について、図１０のフローチャートを用いて説明する。本フローチャートに係る制御装置１０２のプログラムは、図３のＨＤＤ３０９に格納されており、ＲＡＭ３０２に読み出されＣＰＵ３０１によって実行される。
【００５９】
図４のボタン４２１が押下されると、用紙管理アプリケーションは、図１１に示す用紙リスト画面１１０１を表示装置１１３の最前面に表示する。ここで用紙編集画面（変更画面の一例）を起動する用紙リスト画面１１０１について説明する。用紙リスト画面１１０１は、ＣＰＵ３０１からの指示に従ってそのビデオメモリに描画すると共に、ビデオメモリに描画されたイメージデータをビデオ信号として表示装置１１３に出力され、表示される。図１１に示す用紙リスト画面１１０１は用紙リスト画面のトップ画面である。１１０２は用紙リストを表示する表である。列に用紙の属性情報を行に用紙が設定される。表示されている用紙の属性情報以外を表示したい場合は、１１０３のスライダーバーを操作することで表示可能となる。また、表示されている用紙以外を表示したい場合は、１１０４のスライダーバーを操作することで表示可能となる。
【００６０】
１１０５〜１１１５は用紙リスト１１０２に現在表示されている用紙であり、１１０９は選択状態であり、選択されていることが分かるように、非選択状態と比べて白黒の反転表示されている。１１０５〜１１０８、及び１１１０〜１１１５は非選択状態である。１１１６のＯＫボタンを押下すると、選択状態の用紙に設定変更内容を反映することになる。１１１７のキャンセルボタンを押下すると、設定がキャンセルされる。１１１８の新規作成ボタンを押下すると、新規に用紙を生成する新規用紙作成画面が表示される。１１１９の編集ボタンを押下すると選択された用紙（ここでは１１０９）の設定確認、および、変更を行うための用紙編集画面（図１３の１３０１）が表示される。１１２０の複製ボタンを押下すると選択された用紙（ここでは１１０９）の複製、および、設定変更を行うための用紙編集画面が表示される。
【００６１】
用紙管理アプリケーションは、図１１の用紙リスト画面１１０１で用紙１１０９が選択されている状態で編集ボタン１１１９が押下されると、図１０の用紙設定編集処理を開始する。まず、Ｓ１００１で、用紙管理アプリケーションは、用紙リスト１１０２で選択されている用紙１１０９の用紙設定を参照するために、用紙１１０９の用紙ＩＤを取得する。ここで、用紙ＩＤとは、用紙を個別に識別する識別子である。例えば、ここでは、用紙ＩＤは、用紙名に相当する。従って、図１１の例で選択された用紙の用紙ＩＤは、「片面コート紙＿１」となる。
【００６２】
ここで、図１２を参照して、ジョブマネージャについて説明する。ジョブマネージャは、制御装置１０２上で動作する。ジョブマネージャは、制御装置１０２の専用ユーティリティのひとつであり、制御装置１０２に保存された印刷ジョブの管理を行う。画面１２０１は、ジョブマネージャのウインドウ画面である。ジョブマネージャは、コマンドツールバー１２０２で選択された印刷ジョブに対して、以下の指示を行う。即ち、プロパティ（属性）の表示、待機キューへの移動、印刷ジョブの停止、ＲＩＰ（画像データへの展開）処理、印刷ジョブの削除、印刷ジョブのプレビュー、印刷ジョブの印刷等の指示である。ジョブマネージャは、ステータス表示部１２０３に現在の状況を表示する。図１２の例では、ステータス表示部１２０３にフォトブックというジョブ名の２０部のうちの１２部目を印刷中（ジョブの実行中）であることが示されている。待機キュー１２０４には制御装置１０２に保存されている予約ジョブの一覧が表示される。一覧に表示される項目は次のとおりである。ジョブ名１２０５は、印刷ジョブの名称を表示する。ステータス１２０６は、ＰＤＬデータの待機キューの状態を表示する。ステータス１２０６の待機はＰＤＬデータで保存されていることを示す。また、ステータス１２０６の処理済みは展開された画像データで保存されていることを示す。ページ１２０７は、印刷ジョブのページ数である。部数１２０８は、印刷ジョブの部数である。用紙名１２０９は印刷ジョブで使用される用紙名である。サイズ１２１０は、印刷ジョブの用紙サイズである。日時１２１１は印刷ジョブが待機キューに投入された日時を示している。
【００６３】
説明を図１０に戻す。Ｓ１００２で、用紙管理アプリケーションは、Ｓ１００１で取得した用紙ＩＤと同一の用紙を使用している予約ジョブをジョブマネージャの待機キューの中から検索する。図１１の例では、選択された用紙の用紙ＩＤは「片面コート紙＿１」となる。一方、図１２に示すように、予約ジョブ「Ｆｉｌｅ−１」にて「片面コート紙＿１」が使用されている。この場合、用紙管理アプリケーションは、検索処理の結果、「片面コート紙＿１」を示す用紙ＩＤが予約ジョブ「Ｆｉｌｅ−１」で使用されていることを検索結果として取得する。用紙管理アプリケーションは、用紙ＩＤが予約ジョブで使用されている場合には、Ｓ１００３へ処理を進める。用紙ＩＤが予約ジョブで使用されていない場合には、Ｓ１００５に遷移し、後述の図１３の用紙編集画面をそのまま表示して本フローチャートを終了する。
【００６４】
ここで、図１３及び図１４を参照しながら、Ｓ１００２〜Ｓ１００５の詳細な処理について説明する。図１３は、図１１で指定された用紙を編集する用紙編集画面である。図７との差異は、用紙リスト表示領域７０３、ボタン７０４相当のボタンがないことのみである。Ｓ１００２で取得した用紙ＩＤが予約ジョブで使用されていないと判断された場合には、用紙管理アプリケーションは、図１３の用紙編集画面をそのまま表示して本フローチャートを終了する。一方、Ｓ１００２で取得した用紙ＩＤが予約ジョブで使用されていると判断された場合には、Ｓ１００３で、図１４の１４０７〜１４１４のように、用紙の基本的な設定の編集を禁止（制限）するように画面を制御する。本実施形態では、用紙の基本的な設定項目のみをグレーアウトして変更不可能な状態にする。なお、グレーアウト表示によって設定変更を禁止するように制御することは一例であって、他の方法で設定変更を禁止するようにしてもよい。例えば、設定変更を禁止する設定項目自体を表示しないようにしてもよい。また、用紙の基本的な設定項目とは、用紙種別が同じ用紙を使用する全てのジョブについて関連する設定項目である。次に、Ｓ１００４で、用紙管理アプリケーションは、Ｓ１００３で用紙変更禁止状態になっている理由を図１４のメッセージフィールド１４０４に表示するために、表示メッセージを生成する。本実施形態では、用紙の基本的な設定項目が変更不可能な理由について、使用されている予約ジョブ名と共に表示する。さらに、Ｓ１００５で、用紙管理アプリケーションは、生成した表示メッセージを含む用紙編集画面を表示して、処理を終了する。
【００６５】
このように、予約ジョブで使用される予定の用紙のサイズや種別といった基本設定項目以外の編集を許可することで、予約ジョブで使用される予定の用紙に対しても用紙の調整が可能となる。また、用紙の基本的な設定項目の編集は禁止しているので、予約ジョブ実行時に印刷ができないといった問題も防ぐことができる。なお、本実施形態では、設定を変更する基本設定項目は、用紙の名称、坪量、サイズ、表面性、特徴、色、両面２面目、スキ目としたが、これに限定される必要はない。例えば、本実施形態では「色」も編集禁止対象としているが、印刷自体に影響がなければ許可するようにしてもよい。また、これらの設定以外にも、印刷物に問題が生じる設定項目については編集を禁止するようにしてもよい。
【００６６】
以降、オペレータは、例えば、図１４の用紙編集画面１４０１のボタン１４２３を押下し、表示された二次転写電圧の調整画面８０１に従い補正量を入力する。入力後に、オペレータはボタン８０８を押下し、設定変更内容を保存する。その後、オペレータはジョブマネージャの画面１２０１の待機キューの中からジョブ名「Ｆｉｌｅ−１」を選択し、印刷ボタンを押下することで、最適な二次転写電圧に調整された用紙を使用して印刷を行うことができる。
【００６７】
以上説明したように、本実施形態に係る制御装置は、画像形成装置への１以上のジョブの予約を受け付け、画像形成装置による画像形成において使用される用紙について、用紙の種別ごとに複数の設定項目の設定を行う。また、本制御装置は、設定を行う用紙の種別が選択されると、受け付けたジョブの中に、選択された種別の用紙を使用するジョブが存在するか否かを判断する。さらに、本制御装置は、受け付けたジョブの中に、選択された種別の用紙を使用するジョブが存在すると判断されると、選択された用紙の種別について、複数の設定項目のうち一部の設定項目の設定を制限し、他の設定項目の設定を可能に制御する。これにより、オペレータは、待機キューにジョブを予約した後であっても、予約ジョブで使用される用紙の各種調整を可能な範囲（制限されていない設定項目）で好適に行うことができる。なお、上記制御装置は、画像形成装置に組み込まれて構成されてもよい。
【００６８】
＜第２の実施形態＞
以下では、本発明の第２の実施形態について説明する。本実施形態では、用紙リスト画面１１０１にて選択した用紙ＩＤと同一の用紙を使用している予約ジョブが複数存在する場合について、図１５のフローチャートを用いて説明する。
【００６９】
本実施形態を説明するために、前提条件を説明する。図１６のジョブマネージャの画面１２０１の待機キュー１２０４の中に、「片面コート紙＿１」を使用するジョブが複数存在しているものとする。ここでは、図１６に示すように、それらのジョブ名を「Ｆｉｌｅ−１」、「Ｒｅｐｏｒｔ２０１０」、「レポート」とする。この状態で、オペレータが図１１の用紙リスト画面１１０１上で、「片面コート＿１」１１０９を選択し、編集ボタン１１１９を押下した際の処理を図１５のフローチャートを用いて説明する。本フローチャートに係る制御装置１０２のプログラムは、図３のＨＤＤ３０９に格納されており、ＲＡＭ３０２に読み出されＣＰＵ３０１によって実行される。
【００７０】
Ｓ１５０１で、用紙管理アプリケーションは、用紙リスト１１０２で選択されている用紙１１０９の用紙設定を参照するために、用紙１１０９の用紙ＩＤを取得する。Ｓ１５０２で、用紙管理アプリケーションは、用紙ＩＤと同一の用紙を使用している予約ジョブをジョブマネージャの待機キューの中から検索する。
【００７１】
本実施形態では前述のように、図１６の予約ジョブ「Ｆｉｌｅ−１」、「Ｒｅｐｏｒｔ２０１０」、「レポート」にて「片面コート紙＿１」が使用されている。この場合、用紙管理アプリケーションは、検索処理の結果、「片面コート紙＿１」を示す用紙ＩＤは予約ジョブで使用されていることを検索結果として取得する。用紙管理アプリケーションは、用紙ＩＤが予約ジョブで使用されている場合には、Ｓ１５０３へ処理を進める。Ｓ１５０３で、用紙管理アプリケーションは、図１７の１７０７〜１７１４のように、用紙の基本的な設定項目の編集を禁止（制限）するように画面を制御し、Ｓ１５０４に遷移する。一方、用紙ＩＤが予約ジョブで使用されていない場合には、Ｓ１５０６に遷移し、用紙管理アプリケーションは、図１３の用紙編集画面をそのまま表示して本フローチャートを終了する。
【００７２】
次に、Ｓ１５０４で、用紙ＩＤが複数の印刷ジョブで使用されているか否かを確認する。本実施形態では、予約ジョブ「Ｆｉｌｅ−１」、「Ｒｅｐｏｒｔ２０１０」、「レポート」にて「片面コート紙＿１」で使用されているため、Ｓ１５０５へ進む。Ｓ１５０５で、用紙管理アプリケーションは、用紙編集画面の印刷ジョブに依存する設定項目を編集不可に制御する。図１７は、印刷ジョブに依存する設定項目を編集不可に制御した用紙編集画面の一例である。図１７の１７２３〜１７２６のように、用紙管理アプリケーションは、印刷ジョブに依存する設定項目の編集を禁止するように画面を制御する。これらの一次転写電圧の設定や二次転写電圧の設定は、用紙上に描かれる画像によって最適な電圧値が変わるため、複数のジョブに対して一意に設定値を決定するのは難しい。そのため、オペレータによって安易に編集されるのを防ぐため、印刷ジョブに依存する設定項目の編集を禁止している。なお、本実施形態では、一次転写電圧や二次転写電圧に関わる項目の編集を禁止しているが、これに限定される必要はない。印刷ジョブに応じて個々に設定されるべき調整項目があれば、編集を禁止するようにしてもよい。
【００７３】
次に、Ｓ１５０６で、用紙管理アプリケーションは、Ｓ１５０２とＳ１５０４で用紙変更禁止状態になっている理由を図１７のメッセージフィールド１７０４に表示するために、表示メッセージを生成する。その後、Ｓ１５０７で、用紙管理アプリケーションは、Ｓ１５０６で生成したメッセージを含む用紙編集画面を表示部に表示し、処理を終了する。実施形態では、用紙の基本的な設定項目が変更不可能な理由について、使用されている予約ジョブ名と共に表示する。
【００７４】
このように、予約ジョブで使用される予定の用紙のサイズや種別といった基本設定項目以外の設定であり、かつ印刷ジョブに依存しない設定項目の編集を許可することで、予約ジョブで使用される予定の用紙に対しても用紙の調整を一部可能とする。また、予約ジョブの実行ができなくなるような設定項目に関しては編集を禁止しているので、予約ジョブ実行時に印刷ができないといった問題も防ぐことができる。
【００７５】
＜第３の実施形態＞
以下では、本発明の第３の実施形態について説明する。本実施形態では、用紙リスト画面１１０１にて選択した用紙ＩＤと同一の用紙を使用している予約ジョブが印刷中（ジョブの実行中）の場合について、図１７のフローチャートを用いて説明する。
【００７６】
本実施形態を説明するために、前提条件を説明する。上記第２の実施形態と同様に、図１９のジョブマネージャ１９０１の待機キュー１９０４の中に、「片面コート紙＿１」を使用するジョブが複数存在しているものとする。ここでは、図１９のように、それらのジョブ名を「Ｆｉｌｅ−１」、「Ｒｅｐｏｒｔ２０１０」、「レポート」とする。その状態で、オペレータが「Ｆｉｌｅ−１」を選択し、印刷ボタン１９０２を押下して「Ｆｉｌｅ−１」の印刷を開始する。「Ｆｉｌｅ−１」が印刷中に、オペレータが図１１の用紙リスト画面１１０１上で、「片面コート＿１」１１０９を選択し、編集ボタン１１１９を押下した際の処理を図１８のフローチャートを用いて説明する。本フローチャートに係る制御装置１０２のプログラムは、図３のＨＤＤ３０９に格納されており、ＲＡＭ３０２に読み出されＣＰＵ３０１によって実行される。
【００７７】
Ｓ１８０１で、用紙管理アプリケーションは、用紙リスト１１０２で選択されている用紙１１０９の用紙設定を参照するために、用紙１１０９の用紙ＩＤを取得する。続いて、Ｓ１８０２で、用紙管理アプリケーションは、用紙ＩＤと同一の用紙を使用している予約ジョブをジョブマネージャの待機キューの中から検索する。
【００７８】
本実施形態では前述のように、図１９の予約ジョブ「Ｆｉｌｅ−１」、「Ｒｅｐｏｒｔ２０１０」、「レポート」にて「片面コート紙＿１」が使用されている。この場合、用紙管理アプリケーションは、検索処理の結果、「片面コート紙＿１」を示す用紙ＩＤは予約ジョブで使用されていることを検索結果として取得する。用紙管理アプリケーションは、用紙ＩＤが予約ジョブで使用されている場合には、Ｓ１８０３へ処理を進める。一方、用紙ＩＤが予約ジョブで使用されていない場合には、Ｓ１８０９に遷移し、用紙管理アプリケーションは、図１３の用紙編集画面をそのまま表示して本フローチャートを終了する。
【００７９】
Ｓ１８０３で、用紙管理アプリケーションは、検索した用紙ＩＤと同一の用紙を使用しているジョブが印刷中であるか否かを確認する。本実施形態では、図１９の１２０３に示したように、「Ｆｉｌｅ−１」が印刷中であるため、Ｓ１８０４へ進む。検索した用紙ＩＤと同一の用紙を使用しているジョブが印刷中でない場合は、Ｓ１８０５へ進む。Ｓ１８０５〜Ｓ１８０７は、上記第２の実施形態のＳ１５０３〜Ｓ１５０６と処理が同様であるため、ここでの説明は省略する。
【００８０】
Ｓ１８０４で、用紙管理アプリケーションは、図２０に示すように、閉じるボタン２００６とメッセージフィールド２００４以外の設定項目をすべてグレーアウトして編集できないように画面を制御する。続いて、Ｓ１８０８で、用紙管理アプリケーションは、Ｓ１８０４、Ｓ１８０５、Ｓ１８０７で用紙変更禁止状態になっている理由を図２０のメッセージフィールド２００４に表示するために、表示メッセージを生成する。その後、Ｓ１８０９で、用紙管理アプリケーションは、Ｓ１８０８で生成したメッセージを含む用紙編集画面を表示部に表示し、処理を終了する。本実施形態では、選択されている用紙ＩＤと同一の用紙を使用しているジョブが印刷中である旨を表示している。
【００８１】
このように、選択されている用紙ＩＤと同一の用紙を使用しているジョブが印刷中の場合には、全ての用紙設定項目の編集を禁止することで、設定変更による影響を印刷中のジョブへ与えないようにすることが可能である。なお、選択されている用紙ＩＤと同一の用紙を使用しているジョブの印刷が完了した場合は、本フローチャートの先頭に戻って処理を進めることで、図１７と同様の画面に更新されることは言うまでもない。
【００８２】
なお、上記第１乃至第３の実施形態においては、図１３の用紙編集画面についての実施例について説明したが、同様の構成を有する図７の給紙段の用紙設定画面に対しても同じ処理が可能である。また、各実施形態は、他の実施形態と組み合わせて実現することが可能である。
【００８３】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８４】
１００：画像形成システム、１０１：クライアントコンピュータ、１０２：制御装置、１０３：画像形成装置、１１３：表示装置、１１４：キーボード、１１５：ポインティングデバイス、４０１：用紙管理アプリケーションの画面、１１０１：用紙リスト画面、１２０１：ジョブマネージャの画面、１３０１：用紙編集画面
【図１】
2019015888.tif 000003
【図２】
2019015888.tif 000004
【図３】
2019015888.tif 000005
【図４】
2019015888.tif 000006
【図５】
2019015888.tif 000007
【図６】
2019015888.tif 000008
【図７】
2019015888.tif 000009
【図８】
2019015888.tif 000010
【図９】
2019015888.tif 000011
【図１０】
2019015888.tif 000012
【図１１】
2019015888.tif 000013
【図１２】
2019015888.tif 000014
【図１３】
2019015888.tif 000015
【図１４】
2019015888.tif 000016
【図１５】
2019015888.tif 000017
【図１６】
2019015888.tif 000018
【図１７】
2019015888.tif 000019
【図１８】
2019015888.tif 000020
【図１９】
2019015888.tif 000021
【図２０】
2019015888.tif 000022